(57)【要約】      （修正有）【課題】フットウェアが脱落しにくい包装資材を提供する。【解決手段】包装資材１は、フットウェアＦの履き口Ｆ３の少なくとも一部を覆う表装片２１と、フットウェアを挟んで表装片と対向する裏装片２２と、フットウェアを係止する係止片２７と、フットウェアを表装片側へ押圧する板バネ片２８とを備える。板バネ片は、裏装片に連結され、裏装片との連結部分で表装片側へ折り込まれ、表装片または裏装片よりも外形が小さく設計され、フットウェアを包装した状態において外部から視認されない。板バネ片は、フットウェアを押圧する押圧面に少なくとも１つの折目が形成され、押圧面は、折目で折れた立体形状である。【選択図】図４
0003230407.tif 000002
【実用新案登録請求の範囲】
【請求項１】
フットウェアを包装するための包装資材であって、
前記フットウェアの履き口の少なくとも一部を覆う第１装片と、
前記フットウェアを挟んで前記第１装片と対向する第２装片と、
前記第１装片と前記フットウェアとの間に配置され、前記フットウェアを係止する係止片と、
前記第２装片と前記フットウェアとの間に配置され、前記係止片によって係止される前記フットウェアを前記第１装片側へ押圧する押圧片と、
を備える包装資材。
【請求項２】
前記押圧片は、前記第２装片に連結され、前記第２装片との連結部分で前記第１装片側へ折り込まれる、請求項１に記載の包装資材。
【請求項３】
前記押圧片は、前記第１装片または前記第２装片よりも外形が小さく設計され、前記フットウェアを包装した状態において外部から視認されない、請求項２に記載の包装資材。
【請求項４】
前記押圧片は、前記フットウェアを押圧する押圧面に少なくとも１つの折目が形成され、
前記押圧面は、前記折目で折れた立体形状である、請求項１から３のいずれか１項に記載の包装資材。
【請求項５】
前記係止片は、前記第１装片に連結され、前記履き口を介して前記フットウェアの内部に挿入されて前記フットウェアの内部を係止する、請求項１から４のいずれか１項に記載の包装資材。
【請求項６】
前記係止片は、前記第１装片に連結され、前記第１装片との連結部分で該第１装片の内側へ折り込まれる、請求項５に記載の包装資材。
【請求項７】
前記係止片は、前記フットウェアの内部を支持する先端部と、前記先端部と前記第１装片とを接続する基部とを含み、
前記フットウェアの足幅方向における前記先端部の幅である先端部幅は、前記足幅方向における前記基部の幅である基部幅よりも大きい、請求項５または６に記載の包装資材。
【請求項８】
前記基部幅は、前記フットウェアを包装した状態における前記履き口の前記足幅方向の開口幅以下である、請求項７に記載の包装資材。
【請求項９】
前記先端部幅は、前記フットウェアの最大内寸幅以下であり、かつ、前記フットウェアを包装した状態における前記履き口の前記足幅方向の開口幅よりも大きい、請求項７または８に記載の包装資材。
【請求項１０】
複数の前記係止片と、
複数の前記係止片に対応した複数の前記押圧片とを備える、請求項１から９のいずれか１項に記載の包装資材。
【請求項１１】
前記フットウェアの爪先部と踵部とが略垂直方向に並ぶように、前記フットウェアを吊り下げる、請求項１から１０のいずれか１項に記載の包装資材。
【請求項１２】
前記第１装片と前記第２装片とを含み、前記フットウェアの足幅方向の周囲を覆う筒状部を備える、請求項１から１１のいずれか１項に記載の包装資材。
【請求項１３】
前記筒状部の一方の開口を塞ぐ閉止装片をさらに含む、請求項１２に記載の包装資材。
【考案の詳細な説明】
【技術分野】
【０００１】
本考案は、フットウェアを包装する包装資材に関する。
【背景技術】
【０００２】
従来、靴下、スリッパまたは靴等の比較的丈の短いフットウェアを陳列棒に吊り下げて陳列したり、陳列棚に並べて陳列したり、またはかご等に入れて投げ込み陳列したりする際、フットウェアが脱落しないようにタッチャーピンでフットウェアを包装資材に係止していた。タッチャーピンを用いて商品を係止する場合、タッチャーにより商品の生地に穴をあけることで商品が傷ついたり、包装を解くためにピンをハサミで切る際に誤って商品を切ってしまったりするという問題があった。そこで、タッチャーピンを用いずにフットウェアを係止する包装資材として、特許文献１および２には、フットウェアを係止する係止片（挿入片）を備えた包装資材が開示されている。
【先行技術文献】
【特許文献】
【０００３】
【特許文献１】実公昭４８−１０２３２
【特許文献２】特開２００８−１４３５８０号公報
【考案の概要】
【考案が解決しようとする課題】
【０００４】
しかしながら、上述のタッチャーピンを用いずにフットウェアを係止する従来技術では、フットウェアが係止片から外れることがあり、フットウェアが包装資材から脱落しやすいという課題があった。
【０００５】
本考案の一態様は、上記従来の課題に鑑みてなされたものであり、その目的は、タッチャーピンを使用することなく、フットウェアが脱落しにくい包装資材を提供することにある。
【課題を解決するための手段】
【０００６】
上記の課題を解決するために、本考案の一態様に係る包装資材は、フットウェアを包装するための包装資材であって、前記フットウェアの履き口の少なくとも一部を覆う第１装片と、前記フットウェアを挟んで前記第１装片と対向する第２装片と、前記第１装片と前記フットウェアとの間に配置され、前記フットウェアを係止する係止片と、前記第２装片と前記フットウェアとの間に配置され、前記係止片によって係止される前記フットウェアを前記第１装片側へ押圧する押圧片と、を備える。
【考案の効果】
【０００７】
本考案の一態様によれば、フットウェアが脱落しにくい包装資材を提供することができる。
【図面の簡単な説明】
【０００８】
【図１】本考案の実施形態１に係る包装資材の正面図である。
【図２】図１に示される包装資材の背面図である。
【図３】図１および図２に示される資材本体の展開図である。
【図４】図３に示される資材本体の使用状態の一例を示す側方断面図である。
【図５】図４に示される係止片によってフットウェアＦを係止した状態を模式的に示す正面図である。
【図６】図３に示される板バネ片の変形例を示す平面図である。
【図７】図３に示される板バネ片の他の変形例を示す平面図である。
【図８】図３に示される係止片の変形例を示す平面図である。
【図９】本考案の実施形態２に係る包装資材の正面図である。
【図１０】図９に示される包装資材の背面図である。
【図１１】図９および図１０に示される資材本体の展開図である。
【図１２】図１１に示される資材本体の使用状態の一例を示す側方断面図である。
【図１３】本考案の実施形態３に係る資材本体の展開図である。
【図１４】図１３に示される資材本体の使用状態の一例を示す側方断面図である。
【図１５】本考案の実施形態４に係る資材本体の展開図である。
【図１６】図１５に示される資材本体の使用状態の一例を示す側方断面図である。
【考案を実施するための形態】
【０００９】
〔実施形態１〕
以下、本考案の一実施形態について、図１〜図８を参照して説明する。本実施形態では、フットウェアを什器等に陳列する包装資材の一例について説明する。ただし、以下の説明は本考案に係る包装資材の一例であり、本考案の技術的範囲は図示例に限定されるものではない。
【００１０】
（包装資材の概要）
図１は、本実施形態に係る包装資材１の正面図である。図２は、図１に示される包装資材１の背面図である。図１および図２は、包装資材１によってフットウェアＦを包装した状態を示す。
【００１１】
図１および図２に示すように、包装資材１は、フットウェアＦを包装する資材本体２と、什器の陳列棒等に資材本体２を吊り下げる鉤状のフック３とを備える。フットウェアＦは、靴下、スリッパまたは靴等の足に装着されるものである。左右１組のフットウェアＦは、一方のフットウェアＦの内部に他方のフットウェアＦが嵌め込まれ、互いに重なった状態で包装資材１によって包装される。
【００１２】
なお、以下の説明では、包装資材１の正面視において、垂直方向の上向きを上、垂直方向の下向きを下、水平方向の左向きを左、水平方向の右向きを右、奥行き方向の手前側を表（正面）、奥行き方向の奥側を裏（背面）と称する場合がある。
【００１３】
包装資材１は、例えば爪先部Ｆ１と踵部Ｆ２とが上下に並ぶように、フットウェアＦを陳列棒に吊り下げる。図１および図２の例では、包装資材１は、爪先部Ｆ１を下側にして、フットウェアＦの履き口（開口部）Ｆ３が正面（消費者）側を向き、フットウェアＦの足底部Ｆ４が背面側を向くように、フットウェアＦを陳列棒に吊り下げる。
【００１４】
なお、包装資材１は、踵部Ｆ２を下側にして、フットウェアＦを陳列棒に吊り下げるようになっていてもよい。また、包装資材１は、フットウェアＦの足底部Ｆ４が正面側を向くように、フットウェアＦを陳列棒に吊り下げるようになってもよい。
【００１５】
資材本体２は、例えば厚紙等で構成される。資材本体２は、フットウェアＦの足幅方向（図中、左右方向）の周囲に取り付けられる（周設される）。資材本体２は、フットウェアＦを包装した状態において上側および下側が矩形に開口した筒状になっており、フットウェアＦの爪先部Ｆ１側および踵部Ｆ２側が露出するように、フットウェアＦの踵部Ｆ２側に取り付けられる。
【００１６】
資材本体２の高さ方向（図中、上下方向）の幅は、フットウェアＦの足長方向（図中、上下方向）の長さよりも十分に小さく設計される。これにより、資材本体２によってフットウェアＦが覆われる面積が小さくなり、消費者がフットウェアＦを視認しやすくなる。
【００１７】
この資材本体２は、フットウェアＦの履き口Ｆ３側に配置される表装片（第１装片）２１と、フットウェアＦの足底部Ｆ４側に配置される裏装片（第２装片）２２と、フットウェアＦの両側を覆う右装片２３および左装片２４とを含む。表装片２１と裏装片２２とは、フットウェアＦを挟んで、フットウェアＦの足甲高さ方向（図中、奥行き方向）に対向して配置される。また、右装片２３と左装片２４とは、フットウェアＦを挟んで、フットウェアＦの足幅方向に対向して配置される。
【００１８】
フック３は、陳列棒に資材本体２を吊り下げる吊下具である。フック３は、包装資材１の表装片２１の上端側に取り付けられる。本実施形態では、資材本体２とフック３とは個別の部材となっており、フック３は例えば樹脂等からなる。ただし、資材本体２とフック３とは一体的に構成されていてもよい。例えば資材本体２を構成する厚紙の一部を鉤状に加工し、資材本体２を構成する厚紙の一部をフック３として機能させてもよい。
【００１９】
また、陳列棒に資材本体２を吊り下げる他の方法として、フック３を用いずに、陳列棒を通す穴（吊り下げ用の穴）を資材本体２に形成してもよい。なお、フットウェアＦを陳列棒に吊り下げずに、陳列棚等に並べて陳列する場合、フック３または吊り下げ用の穴を省略してもよい。
【００２０】
（資材本体の構成）
次に、資材本体２の構成について説明する。図３は、図１および図２に示される資材本体２の展開図である。図４は、図３に示される資材本体２の使用状態（資材本体２によってフットウェアＦを包装した状態）の一例を示す側方断面図である。
【００２１】
図３および図４に示すように、資材本体２は、１枚の厚紙で構成される。資材本体２は、展開した状態において外形が帯状となる本体部２０を備える。本体部２０は、表装片２１、裏装片２２、右装片２３、左装片２４および閉合片２５を含む。
【００２２】
これらの各片は上下方向の幅が略同一であり、左側から閉合片２５、左装片２４、表装片２１、右装片２３および裏装片２２の順で左右一列に並んで帯状に連結される。
【００２３】
本体部２０は、フットウェアＦを包装する際にフットウェアＦの足幅方向の周囲に巻着され、裏装片２２の係合爪２２１と閉合片２５の係合穴２５１とを係合させる。これにより、本体部２０の各片がフットウェアＦの足幅方向の周囲に配置され、これらの各片によって上下方向に開口した筒状部が形成される。
【００２４】
なお、裏装片２２の係合爪２２１と閉合片２５の係合穴２５１とを省略し、裏装片２２と閉合片２５とを粘着テープまたは接着剤等で貼り合わせてもよい。
【００２５】
また、資材本体２は、折込片２６、係止片２７および板バネ片２８を備える。これらの各片は、本体部２０に連結される。これらの各片は、フットウェアＦを包装する際に本体部２０の内側へ折り込まれ、外部から視認されないようになっている。
【００２６】
（表装片）
表装片２１は、フットウェアＦの履き口Ｆ３の少なくとも一部を覆う矩形の厚紙片である。図４の例では、表装片２１は、履き口Ｆ３の一部を覆う。ただし、表装片２１は、フットウェアＦの種類、履き口Ｆ３の形状等に応じて、フットウェアＦの履き口Ｆ３全体を覆ってもよい。
【００２７】
表装片２１には、商品名、サイズ、商標、キャッチフレーズ等の広告宣伝用文字、図形、記号、イメージキャラクター、その他、各種のデザイン等が表示される。包装資材１は、店頭において、通常、表装片２１が消費者側を向くように陳列棒に吊り下げられる。これにより、表装片２１が消費者に視認されやすくなり、消費者の商品選びを容易にし、購買意欲を高めることができる。
【００２８】
（裏装片）
裏装片２２は、フットウェアＦの足底部Ｆ４側を覆う矩形の厚紙片である。裏装片２２は、展開した状態において右装片２３の右端部に連結される。裏装片２２には、フットウェアＦの素材または機能等が表示される。裏装片２２の右端部には、該右端部から突出するように係合爪２２１が設けられる。係合爪２２１は、フットウェアＦの周囲に資材本体２を取り付ける際、閉合片２５の係合穴２５１に係合する。
【００２９】
（右装片および左装片）
右装片２３および左装片２４は、フットウェアＦの両側を覆う矩形の厚紙片である。右装片２３は、展開した状態において表装片２１の右端部に連結される。左装片２４は、展開した状態において表装片２１の左端部に連結される。右装片２３および左装片２４は、表装片２１を挟んで左右対称に形成される。右装片２３および左装片２４には、商品名等が表示される。これにより、包装資材１を側方から見た場合であっても、消費者が商品名等を視認することができる。
【００３０】
（閉合片）
閉合片２５は、裏装片２２の内側に配置される矩形の厚紙片である。閉合片２５は、展開した状態において左装片２４の左端部に連結される。閉合片２５は、裏装片２２と板バネ片２８との間に挿入され、裏装片２２の内側に裏装片２２と重なり合って配置される。閉合片２５の左装片２４側の端部の近傍には、裏装片２２の係合爪２２１が挿入可能な係合穴２５１が形成される。
【００３１】
（折込片）
折込片２６は、表装片２１の内側に配置される矩形の厚紙片である。折込片２６は、展開した状態において表装片２１の上端部に連結される。折込片２６は、表装片２１との連結部分で本体部２０（表装片２１）の内側へ折り込まれ、表装片２１と係止片２７との間に配置される。表装片２１と折込片２６との連結部分の折目には、フック３を貫設可能な貫通孔２ａが形成される。貫通孔２ａにフック３が貫設されることにより、資材本体２にフック３が取り付けられる。
【００３２】
（係止片）
係止片２７は、フットウェアＦを係止する厚紙片である。係止片２７は、履き口Ｆ３を介してフットウェアＦの内部に挿入され、フットウェアＦの内部を係止する。係止片２７は、展開した状態において表装片２１の下端部に連結される。係止片２７は、表装片２１との連結部分で本体部２０（表装片２１）の内側へ折り込まれ、折込片２６よりもフットウェアＦ側に配置される。表装片２１の下端部に係止片２７を連結することにより、資材本体２の内側に係止片２７を折り込んだ際、係止片２７の先端部２７１が上側を向く。このため、係止片２７によってフットウェアＦを係止しやすくなる。図４の例では、係止片２７は、フットウェアＦの踵部Ｆ２の内部を係止することにより、フットウェアＦを係止する。
【００３３】
係止片２７は、フットウェアＦの内部を支持する先端部２７１と、先端部２７１と表装片２１とを接続する基部２７２とを含む。先端部２７１は、踵部Ｆ２の内部形状にフィットするように、その先端形状が曲線状に形成される。
【００３４】
フットウェアＦの足幅方向における先端部２７１の幅（先端部幅）Ｗ１は、同方向における基部２７２の幅（基部幅）Ｗ２よりも大きくなっている。これにより、係止片２７（先端部２７１）が履き口Ｆ３から外れにくくなる。
フットウェアＦは、履き口Ｆ３の両側（両側辺部）が足幅方向内側へ折り畳まれた状態で資材本体２によって包装される。
【００３５】
図５は、図４に示される係止片２７によってフットウェアＦを係止した状態を模式的に示す正面図である。なお、図５では、説明の便宜上、一方のフットウェアＦの内部に他方のフットウェアＦが嵌め込まれた左右１組のフットウェアＦのうち、内側に配置される他方のフットウェアＦのみを図示している。図５に示すように、先端部２７１の幅Ｗ１は、フットウェアＦの最大内寸幅Ｗ３以下であり、かつ、フットウェアＦを包装した状態における履き口Ｆ３の足幅方向の幅Ｗ４よりも大きいことが好ましい。
【００３６】
先端部２７１の幅Ｗ１がフットウェアＦの最大内寸幅Ｗ３以下であることにより、フットウェアＦの内部に先端部２７１を配置しやすくなる。
【００３７】
また、先端部２７１の幅Ｗ１がフットウェアＦを包装した状態における履き口Ｆ３の幅Ｗ４よりも大きいことにより、フットウェアＦを包装した状態において先端部２７１が履き口Ｆ３に引っ掛かるため、係止片２７が履き口Ｆ３から外れにくくなる。
【００３８】
ここで、フットウェアＦは、履き口Ｆ３の両側（両側辺部）が足幅方向内側へ折り畳まれた状態で資材本体２によって包装される。このため、履き口Ｆ３の両側が折り畳まれていない状態（包装されていない状態）に比べて履き口Ｆ３の幅Ｗ４が小さくなっており、履き口Ｆ３が足底部Ｆ４よりも窄まっている。従って、フットウェアＦを包装した状態、換言すれば、履き口Ｆ３の両側が足幅方向内側へ折り畳まれた状態における履き口Ｆ３の幅Ｗ４よりも先端部２７１の幅Ｗ１が大きいことにより、係止片２７が履き口Ｆ３に引っ掛かり、履き口Ｆ３から外れにくくなる。なお、履き口Ｆ３の幅Ｗ４は、例えば、履き口Ｆ３のうち、資材本体２によって覆われている部分の最大開口幅であってもよい。
【００３９】
一方、基部２７２の幅Ｗ２は、履き口Ｆ３の幅Ｗ４以下であることが好ましい。これにより、先端部２７１が内部に挿入された状態で、履き口Ｆ３の両側から足幅方向内側へフットウェアＦの両側（両側辺部）を折り畳むことができ、折り畳まれていない状態（包装されていない状態）に比べて履き口Ｆ３の幅Ｗ４を小さくすることができる。
【００４０】
（板バネ片）
板バネ片２８は、係止片２７によって係止されるフットウェアＦを、表装片２１側（図４中、参照符号ｆの方向）へ押圧する略半円形の厚紙片である。板バネ片２８は、展開した状態において裏装片２２の下端部に連結される。板バネ片２８は、裏装片２２との連結部分で本体部２０（裏装片２２）の内側へ折り込まれ、閉合片２５よりもフットウェアＦ側に配置される。図３および図４の例では、板バネ片２８は裏装片２２の下端部に連結されるが、板バネ片２８は裏装片２２の上端部に連結されてもよい。
【００４１】
板バネ片２８は、フットウェアＦを挟んで係止片２７と対応する位置に配置される。板バネ片２８によってフットウェアＦを表装片２１側へ押圧することにより、表装片２１の内側にフットウェアＦが圧接する。これにより、フットウェアＦの裏装片２２側への位置ずれが抑えられ、フットウェアＦから係止片２７が外れにくくなる。その結果、フットウェアＦが包装資材１から脱落することを抑えることができる。
【００４２】
板バネ片２８は、フットウェアＦを押圧する押圧面２８１を含む。押圧面２８１は、少なくとも１つの折目２８ａが形成され、折目２８ａで折れた立体形状であることが好ましい。図３の例では、押圧面２８１を左右に二等分する中心線に沿って、折目２８ａが形成される。これにより、板バネ片２８が厚み方向に嵩高くなり、板バネ片２８がフットウェアＦを押圧する押圧力が向上する。
【００４３】
また、板バネ片２８は、裏装片２２に連結されていることが好ましい。これにより、フットウェアＦを挟んで表装片２１および係止片２７と対向する位置に、板バネ片２８を配置することができる。従って、板バネ片２８によってフットウェアＦを表装片２１側へ押圧しやすくなる。
【００４４】
また、板バネ片２８は、裏装片２２よりも外形が小さく設計されていることが好ましい。これにより、フットウェアＦを包装した状態において外部から板バネ片２８が視認されないため、意匠性を損なうことなく、包装資材１を板バネ片２８に設けることができる。
【００４５】
（包装資材の効果）
このように、本実施形態に係る包装資材１は、フットウェアＦの履き口Ｆ３の少なくとも一部を覆う表装片２１と、フットウェアＦを挟んで表装片２１と対向する裏装片２２とを備える。さらに、包装資材１は、表装片２１とフットウェアＦとの間に配置され、フットウェアＦを係止する係止片２７と、裏装片２２とフットウェアＦとの間に配置され、係止片２７によって係止されるフットウェアＦを表装片２１側へ押圧する板バネ片２８とを備える。
【００４６】
包装資材１では、板バネ片２８によってフットウェアＦを表装片２１側へ押圧することにより、表装片２１の内側にフットウェアＦが圧接する。これにより、フットウェアＦの裏装片２２側への位置ずれが抑えられ、フットウェアＦから係止片２７が外れにくくなる。従って、本実施形態によれば、フットウェアＦが脱落しにくい包装資材１を実現することができる。
【００４７】
なお、包装資材１は、例えば爪先部Ｆ１と踵部Ｆ２とが略水平方向に並ぶように、フットウェアＦを吊り下げることも可能である。この場合、資材本体２に対するフック３の取り付け位置等を適宜変更すればよい。
【００４８】
また、資材本体２は、表装片２１と裏装片２２とによってフットウェアＦを挟持可能になっていればよい。資材本体２は、例えば、フットウェアＦの足幅方向の周囲にわたって取り付けられる筒形状ではなく、筒形状の周方向の一部が繋がっていなくてもよい。この場合、表装片２１と裏装片２２とによってフットウェアＦを挟持可能なように、表装片２１と裏装片２２との間隔を保持する他の部材を資材本体２に追加すればよい。
【００４９】
（変形例）
図６は、図３に示される板バネ片２８の変形例を示す平面図である。板バネ片２８は、係止片２７によって係止されるフットウェアＦを表装片２１側へ押圧可能であればよく、その形状は特に限定されない。
【００５０】
図６の６００１に示すように、板バネ片２８は、裏装片２２との連結部分が下底となる台形形状であってもよい。また、図６の６００２に示すように、板バネ片２８は、その先端側が曲面状であり、かつ裏装片２２との連結部分へ向かって幅が一定となる形状であってもよい。また、図６の６００３〜図６の６００５に示すように、板バネ片２８は、三角形形状、四角形形状、または三角形および四角形以外の多角形形状（図中、六角形）であってもよい。また、図６の６００６〜図６の６０１０に示すように、板バネ片２８は、開口２８ｂが形成された形状であってもよい。
【００５１】
図７は、図３に示される板バネ片２８の他の変形例を示す平面図である。板バネ片２８の押圧面２８１は、複数の折目２８ａに形成されて、各折目２８ａで折れた立体形状であってもよい。これにより、板バネ片２８がフットウェアＦを押圧する押圧力が向上する。
【００５２】
図７の７００１に示すように、板バネ片２８は、裏装片２２との連結部分に頂点を有するＶ字状に、２つの折目２８ａが形成されていてもよい。また、図７の７００２に示すように、板バネ片２８は、その先端側に頂点を有するＶ字状に、２つの折目２８ａが形成されていてもよい。さらに、図７の７００３および図７の７００４に示すように、板バネ片２８は、互いに平行となるように２つの折目２８ａが形成されていてもよい。
【００５３】
なお、板バネ片２８は、蛇腹状に折り曲げられた多重構造であってもよい。これにより、板バネ片２８が厚み方向に嵩高くなり、板バネ片２８がフットウェアＦを押圧する押圧力がさらに向上する。
【００５４】
図８は、図３に示される係止片２７の変形例を示す平面図である。係止片２７は、フットウェアＦを係止可能であればよく、その形状は特に限定されない。
【００５５】
例えば図８の８００１〜８０１２に示すように、係止片２７は、先端部２７１の先端形状が曲線状であってもよく、または先端部２７１の先端形状が直線状であってもよい。また、係止片２７は、表装片２１との連結部分へ向かって、基部２７２の幅が小さくなる形状であってもよく、基部２７２の幅が大きくなる形状であってもよく、または基部２７２の幅が一定である形状であってもよい。
【００５６】
また、図８の８０１３に示すように、係止片２７は、複数個に分離された形状であってもよい。或いは、図８の８０１４〜８０１６に示すように、係止片２７は、開口２７ａが形成された形状であってもよい。
【００５７】
なお、包装資材１は、左右１組のフットウェアＦを個別に係止可能なように２つの係止片２７を備えていてもよい。この場合、例えば、２つの係止片２７によって係止される各フットウェアＦを同時に押圧可能な大径の板バネ片２８を用いるか、または、２つの係止片２７を用いればよい。
【００５８】
〔実施形態２〕
本考案の他の実施形態について、図９〜図１２を参照して説明する。本実施形態に係る包装資材１１は、フットウェアＦを包装した状態において頂部（上側）が閉止されている頂部閉止タイプである点において、頂部が開放した頂部解放タイプである包装資材１と主に相違している。
【００５９】
（包装資材の概要）
図９は、本実施形態に係る包装資材１１の正面図である。図１０は、図９に示される包装資材１１の背面図である。図９および図１０は、包装資材１によってフットウェアＦを包装した状態を示す。
【００６０】
図９および図１０に示すように、包装資材１１は、頂部（上側）が閉止された頂部閉止タイプの包装資材である。包装資材１１は、フットウェアＦを包装する資材本体１２と、陳列棒等に資材本体１２を吊り下げる鉤状のフック３とを備える。
【００６１】
資材本体１２は、フットウェアＦを包装した状態において一方の端部のみが矩形に開口した有底筒状である。資材本体１２は、フットウェアＦの爪先部Ｆ１側が露出するように、フットウェアＦの踵部Ｆ２側を覆って取り付けられる。フック３は、資材本体１２の頂部を塞ぐ上装片（閉止装片）２９に取り付けられる。
【００６２】
（資材本体の構成）
次に、資材本体１２の構成について説明する。図１１は、図９および図１０に示される資材本体１２の展開図である。図１２は、図１１に示される資材本体１２の使用状態（資材本体１２によってフットウェアＦを包装した状態）の一例を示す側方断面図である。
【００６３】
図１１および図１２に示すように、資材本体１２は、１枚の厚紙で構成される。資材本体１２は、展開した状態において外形が逆Ｔ字状となる本体部１２０を備える。本体部１２０は、表装片２１、裏装片２２、右装片２３、左装片２４、右閉合片２５Ａ、左閉合片２５Ｂおよび上装片２９を含む。
【００６４】
表装片２１、右装片２３、左装片２４、右閉合片２５Ａおよび左閉合片２５Ｂは、上下方向の幅が略同一であり、左側から左閉合片２５Ｂ、左装片２４、表装片２１、右装片２３および右閉合片２５Ａの順で左右一列に並んで帯状に連結される。また、表装片２１、裏装片２２および上装片２９は、左右方向の幅が略同一であり、下側から表装片２１、上装片２９および裏装片２２の順で上下一列に並んで帯状に連結される。
【００６５】
本体部１２０は、フットウェアＦを包装した状態において、上装片２９を除く本体部１２０の各片がフットウェアＦの足幅方向の周囲に配置され、これらの各片によって上下方向に開口した筒状部が形成される。この筒状部の上側の開口は、上装片２９によって塞がれ閉止される。
【００６６】
また、資材本体１２は、係止片２７、板バネ片２８、右挿入片３０Ａおよび左挿入片３０Ｂを備える。これらの各片は、本体部１２０に連結される。各片は、フットウェアＦを包装する際に本体部１２０の内側へ折り込まれ、外部から視認されないようになっている。
【００６７】
（表装片）
表装片２１は、フットウェアＦの履き口Ｆ３の少なくとも一部を覆う矩形の厚紙片である。図１２の例では、表装片２１は、履き口Ｆ３のうちの上側を覆う。
【００６８】
（裏装片）
裏装片２２は、フットウェアＦの足底部Ｆ４側を覆う矩形の厚紙片である。裏装片２２は、展開した状態において上装片２９の上端部に連結される。裏装片２２は、表装片２１と略同一の形状に形成される。裏装片２２は、該裏装片２２の下端部に連結された板バネ片２８が本体部１２０（裏装片２２）の内側へ折り込まれることにより、右閉合片２５Ａおよび左閉合片２５Ｂを覆う位置に固定される。
【００６９】
（右装片および左装片）
右装片２３および左装片２４は、フットウェアＦの両側を覆う矩形の厚紙片である。右装片２３は、展開した状態において表装片２１の右端部に連結される。左装片２４は、表装片２１の左端部に連結される。右装片２３および左装片２４は、表装片２１を挟んで左右対称に形成される。
【００７０】
（右閉合片および左閉合片）
右閉合片２５Ａおよび左閉合片２５Ｂは、裏装片２２の内側に配置される略半円形の厚紙片である。右閉合片２５Ａは、展開した状態において右装片２３の右端部に連結される。左閉合片２５Ｂは、左装片２４の左端部に連結される。右閉合片２５Ａおよび左閉合片２５Ｂは、左右対称に形成される。右閉合片２５Ａおよび左閉合片２５Ｂは、裏装片２２と板バネ片２８との間に挿入され、裏装片２２の内側に裏装片２２と重なり合って配置される。
【００７１】
右閉合片２５Ａの右端部には、該右端部の一部を切り込んで形成された係合切込２５３が設けられる。また、左閉合片２５Ｂの左端部には、該左端部の一部を切り込んで形成された係合切込２５４が設けられる。係合切込２５３と係合切込２５４とは、フットウェアＦの周囲に資材本体１２を取り付ける際、互いに係合する。これにより、資材本体１２が筒状になる。
【００７２】
（係止片）
係止片２７は、フットウェアＦを係止する厚紙片である。係止片２７は、展開した状態において表装片２１の下端部に連結される。係止片２７は、表装片２１との連結部分で本体部１２０（表装片２１）の内側へ折り込まれる。
【００７３】
（板バネ片）
板バネ片２８は、係止片２７によって係止されるフットウェアＦを、表装片２１側（図１２中、参照符号ｆの方向）へ押圧する略円形の厚紙片である。板バネ片２８は、展開した状態において裏装片２２の上端部に連結される。板バネ片２８は、裏装片２２との連結部分で本体部１２０（裏装片２２）の内側へ折り込まれ、右閉合片２５Ａおよび左閉合片２５ＢよりもフットウェアＦ側に配置される。
【００７４】
（上装片）
上装片２９は、フットウェアＦを包装した状態において資材本体１２の頂部を塞ぐ矩形の厚紙片である。上装片２９は、展開した状態において表装片２１の上端部に連結される。資材本体１２に上装片２９に設けることにより、資材本体１２の強度を高くすることができる。上装片２９の中央部には、フック３を貫設可能な貫通孔２ａが形成される。貫通孔２ａにフック３が貫設されることにより、資材本体１２にフック３が取り付けられる。
【００７５】
（右挿入片および左挿入片）
右挿入片３０Ａおよび左挿入片３０Ｂは、フットウェアＦを包装した状態において左装片２４および左装片２４を留める矩形の厚紙片である。右挿入片３０Ａは、展開した状態において右装片２３の上端部に連結される。左挿入片３０Ｂは、展開した状態において左装片２４の上端部に連結される。右挿入片３０Ａおよび左挿入片３０Ｂは、左右対称に形成される。右挿入片３０Ａおよび左挿入片３０Ｂは、フットウェアＦを包装した状態において上装片２９とフットウェアＦとの間に挿入される。これにより、右装片２３および左装片２４と上装片２９との隙間を右挿入片３０Ａおよび左挿入片３０Ｂによって塞ぐと共に、資材本体１２の強度を高くすることができる。
【００７６】
（包装資材の効果）
このように、本実施形態に係る包装資材１１は、フットウェアＦの履き口Ｆ３の少なくとも一部を覆う表装片２１と、フットウェアＦを挟んで表装片２１と対向する裏装片２２と、包装資材１１（資材本体１２）の頂部を塞ぐ上装片２９とを備える。さらに、包装資材１１は、表装片２１とフットウェアＦとの間に配置され、フットウェアＦを係止する係止片２７と、裏装片２２とフットウェアＦとの間に配置され、係止片２７によって係止されるフットウェアＦを表装片２１側へ押圧する板バネ片２８とを備える。
【００７７】
包装資材１１は、上装片２９を備えることにより、フットウェアＦを包装した状態における包装資材１１の強度が高くなる。従って、本実施形態によれば、フットウェアＦが脱落しにくく、かつ強度の高い包装資材１１を実現することができる。
【００７８】
〔実施形態３〕
本考案の他の実施形態について、図１３および図１４を参照して説明する。本実施形態に係る資材本体１３は、複数の係止片２７および複数の板バネ片２８を備える点において、上述した資材本体と主に相違している。
【００７９】
（資材本体の構成）
まず、本実施形態に係る資材本体１３の構成について説明する。図１３は、本実施形態に係る資材本体１３の展開図である。図１４は、図１３に示される資材本体１２の使用状態の一例を示す側方断面図である。
【００８０】
図１３および図１４に示すように、資材本体１３は、１枚の厚紙で構成される。資材本体１３は、展開した状態において外形がＬ字状となる本体部２２０を備える。本体部２２０は、表装片（第１装片）２１、裏装片（第１装片）２２、右装片２３、左装片２４、閉合片２５、第１中装片（第２装片）３１Ａおよび第２中装片（第２装片）３１Ｂを含む。
【００８１】
表装片２１、裏装片２２、右装片２３、左装片２４、閉合片２５および第１中装片３１Ａは、左側から第１中装片３１Ａ、裏装片２２、左装片２４、表装片２１、右装片２３および閉合片２５の順で左右一列に並んで帯状に連結される。また、第１中装片３１Ａおよび第２中装片３１Ｂは、下側から第１中装片３１Ａおよび第２中装片３１Ｂの順で上下一列に並んで帯状に連結される。
【００８２】
本体部２２０は、フットウェアＦを包装した状態において、第１中装片３１Ａおよび第２中装片３１Ｂを除く本体部２２０の各片がフットウェアＦの足幅方向の周囲に配置され、これらの各片によって上下方向に開口した筒状部が形成される。この筒状部の内側に第１中装片３１Ａおよび第２中装片３１Ｂが互いに重なり合った状態で配置される。表装片２１と第１中装片３１Ａとの間に一方のフットウェアＦが挟持され、裏装片２２と第２中装片３１Ｂとの間に他方のフットウェアＦが挟持される。左右１組のフットウェアＦは、各々の足底部Ｆ４を対向させた状態で、資材本体１３によって包装される。
【００８３】
また、資材本体１３は、第１係止片２７Ａ、第２係止片２７Ｂ、第１板バネ片２８Ａおよび第２板バネ片２８Ｂを備える。これらの各片は、本体部２２０に連結される。各片は、フットウェアＦを包装する際に折り込まれ、外部から視認されないようになっている。
【００８４】
（表装片）
表装片２１は、一方のフットウェアＦの履き口Ｆ３の少なくとも一部を覆う矩形の厚紙片である。図１４の例では、表装片２１は、一方のフットウェアＦの履き口Ｆ３のうちの中央部分を覆う。
【００８５】
（裏装片）
裏装片２２は、他方のフットウェアＦの履き口Ｆ３の少なくとも一部を覆う矩形の厚紙片である。図１４の例では、裏装片２２は、他方のフットウェアＦの履き口Ｆ３のうちの中央部分を覆う。裏装片２２は、展開した状態において、左装片２４に左端部に連結される。裏装片２２の第１中装片３１Ａ側の端部の近傍には、閉合片２５の係合爪２５５が挿入可能な係合穴２２２が形成される。
【００８６】
（右装片および左装片）
右装片２３および左装片２４は、フットウェアＦの両側を覆う矩形の厚紙片である。右装片２３は、展開した状態において表装片２１の右端部に連結される。左装片２４は、表装片２１の左端部に連結される。
【００８７】
（閉合片）
閉合片２５は、裏装片２２の一部を覆う矩形の厚紙片である。閉合片２５は、展開した状態において右装片２３の右端部に連結される。閉合片２５の右端部には、該右端部から突出するように係合爪２５５が設けられる。係合爪２５５は、フットウェアＦの周囲に資材本体１３を取り付ける際、裏装片２２の係合穴２２２に係合する。これにより、資材本体１３が筒状になる。
【００８８】
（第１係止片）
第１係止片２７Ａは、一方のフットウェアＦを係止する厚紙片である。第１係止片２７Ａは、展開した状態において表装片２１の下端部に連結される。第１係止片２７Ａは、表装片２１との連結部分で本体部２２０（表装片２１）の内側へ折り込まれる。
【００８９】
（第２係止片）
第２係止片２７Ｂは、他方のフットウェアＦを係止する厚紙片である。第２係止片２７Ｂは、展開した状態において裏装片２２の下端部に連結される。第２係止片２７Ｂは、裏装片２２との連結部分で本体部２２０（裏装片２２）の内側へ折り込まれる。
【００９０】
（第１板バネ片）
第１板バネ片２８Ａは、第１係止片２７Ａによって係止される一方のフットウェアＦを、表装片２１側へ押圧する略半円形の厚紙片である。第１板バネ片２８Ａは、展開した状態において第１中装片３１Ａの下端部に連結される。第１板バネ片２８Ａは、第１中装片３１Ａとの連結部分で表装片２１側へ折り込まれ、第１中装片３１Ａと一方のフットウェアＦとの間に配置される。
【００９１】
（第２板バネ片）
第２板バネ片２８Ｂは、第２係止片２７Ｂによって係止される他方のフットウェアＦを、裏装片２２側へ押圧する略半円形の厚紙片である。第２板バネ片２８Ｂは、展開した状態において第２中装片３１Ｂの上端部に連結される。第２板バネ片２８Ｂは、第２中装片３１Ｂとの連結部分で裏装片２２側へ折り込まれ、第２中装片３１Ｂと他方のフットウェアＦとの間に配置される。
【００９２】
（第１中装片）
第１中装片３１Ａは、一方のフットウェアＦの足底部Ｆ４側を覆う矩形の厚紙片である。第１中装片３１Ａは、展開した状態において裏装片２２の左端部に連結される。第１中装片３１Ａは表装片２１と対向して配置され、表装片２１と第１中装片３１Ａとの間に一方のフットウェアＦが挟持される。
【００９３】
（第２中装片）
第２中装片３１Ｂは、他方のフットウェアＦの足底部Ｆ４側を覆う矩形の厚紙片である。第２中装片３１Ｂは、展開した状態において第１中装片３１Ａの上端部に連結される。第２中装片３１Ｂは裏装片２２と対向して配置され、裏装片２２と第２中装片３１Ｂとの間に他方のフットウェアＦが挟持される。
【００９４】
なお、資材本体１３は、陳列棒等に吊り下げ可能になっていてもよい。この場合、第１中装片３１Ａと第２中装片３１Ｂとの連結部分の折目にフック３を設けてもよい。また、第１中装片３１Ａと第２中装片３１Ｂとを重ね合わせた状態で第１中装片３１Ａおよび第２中装片３１Ｂの連結部分に切り欠きを形成して該切り欠きをフック３として機能させてもよい。或いは、第１中装片３１Ａと第２中装片３１Ｂとを重ね合わせた状態で第１中装片３１Ａおよび第２中装片３１Ｂにわたって貫通孔を形成して吊り下げ用の穴を設けてもよい。
【００９５】
このように、第１中装片３１Ａおよび第２中装片３１Ｂにフック３等を設けることにより、フットウェアＦをバランスよく垂直に吊り下げることができる。ただし、フック３等を設ける位置およびフットウェアＦを吊り下る方向は特に限定されず、適宜変更可能である。例えば、表装片２１または裏装片２２の上端部側を延出させ、延出した部分にフック３等を設けてもよい。或いは、右装片２３または左装片２４にフック３等を設けて、フットウェアＦを水平に吊り下げてもよい。
【００９６】
（資材本体の効果）
このように、本実施形態に係る資材本体１３は、一方のフットウェアＦの履き口Ｆ３の少なくとも一部を覆う表装片２１と、一方のフットウェアＦを挟んで表装片２１と対向する第１中装片３１Ａとを備える。また、資材本体１３は、他方のフットウェアＦの履き口Ｆ３の少なくとも一部を覆う裏装片２２と、他方のフットウェアＦを挟んで裏装片２２と対向する第２中装片３１Ｂとを備える。
【００９７】
さらに、本実施形態に係る資材本体１３は、表装片２１と一方のフットウェアＦとの間に配置され、一方のフットウェアＦを係止する第１係止片２７Ａと、第１中装片３１Ａと一方のフットウェアＦとの間に配置され、第１係止片２７Ａによって係止される一方のフットウェアＦを表装片２１側へ押圧する第１板バネ片２８Ａとを備える。また、資材本体１３は、裏装片２２と他方のフットウェアＦとの間に配置され、他方のフットウェアＦを係止する第２係止片２７Ｂと、第２中装片３１Ｂと他方のフットウェアＦとの間に配置され、第２係止片２７Ｂによって係止される他方のフットウェアＦを裏装片２２側へ押圧する第２板バネ片２８Ｂとを備える。
【００９８】
資材本体１３では、第１係止片２７Ａおよび第２係止片２７Ｂと、第１係止片２７Ａおよび第２係止片２７Ｂに対応した第１板バネ片２８Ａおよび第２板バネ片２８Ｂとを備える。従って、本実施形態によれば、左右１組のフットウェアＦを個別に係止する構成において、フットウェアＦが脱落しにくい資材本体１３を実現することがきる。
【００９９】
〔実施形態４〕
本考案の他の実施形態について、図１５および図１６を参照して説明する。本実施形態に係る資材本体１４は、１つの中装片３１に第１板バネ片２８Ａおよび第２板バネ片２８Ｂが連結されている点において、上述した資材本体と主に相違している。
【０１００】
（資材本体の構成）
図１５は、本実施形態に係る資材本体１３の変形例を示す展開図である。図１６は、図１５に示される資材本体１４の使用状態の一例を示す側方断面図である。
【０１０１】
図１５および図１６に示すように、資材本体１４は、１枚の厚紙で構成される。資材本体１４は、展開した状態において外形が帯状となる本体部２３０を備える。本体部２３０は、表装片（第１装片）２１、裏装片（第１装片）２２、右装片２３、左装片２４、閉合片２５および中装片（第２装片）３１を含む。これらの各片は、上下方向の幅が略同一であり、左側から左装片２４、表装片２１、右装片２３、裏装片２２、閉合片２５および中装片３１の順で左右一列に並んで連結される。
【０１０２】
本体部２３０は、フットウェアＦを包装した状態において、本体部２３０の各片がフットウェアＦの足幅方向の周囲に配置され、これらの各片によって上下方向に開口した筒状部が形成される。
【０１０３】
また、資材本体１４は、第１係止片２７Ａ、第２係止片２７Ｂ、第１板バネ片２８Ａおよび第２板バネ片２８Ｂを備える。これらの各片は、本体部２３０に連結される。各片は、フットウェアＦを包装する際に折り込まれ、外部から視認されないようになっている。
【０１０４】
（表装片）
表装片２１は、一方のフットウェアＦの履き口Ｆ３の少なくとも一部を覆う矩形の厚紙片である。図１６の例では、表装片２１は、一方のフットウェアＦの履き口Ｆ３のうちの中央部分を覆う。
【０１０５】
（裏装片）
裏装片２２は、他方のフットウェアＦの履き口Ｆ３の少なくとも一部を覆う矩形の厚紙片である。図１６の例では、裏装片２２は、一方のフットウェアＦの履き口Ｆ３のうちの中央部分を覆う。裏装片２２は、展開した状態において、右装片２３に右端部に連結される。
【０１０６】
（右装片および左装片）
右装片２３および左装片２４は、フットウェアＦの両側を覆う矩形の厚紙片である。右装片２３は、展開した状態において表装片２１の右端部に連結される。右装片２３の中央部には、中装片３１の係合爪３１２が挿入可能な係合穴２３１が形成される。左装片２４は、表装片２１の左端部に連結される。左装片２４の左端部には、該左端部から突出するように係合爪２４１が設けられる。係合爪２４１は、フットウェアＦの周囲に資材本体１４を取り付ける際、閉合片２５の係合穴２５１に係合する。これにより、資材本体１４が筒状になる。
【０１０７】
（閉合片）
閉合片２５は、その一部が左装片２４によって覆われる矩形の厚紙片である。閉合片２５は、展開した状態において裏装片２２の右端部に連結される。閉合片２５の中央部には、左装片２４の係合爪２４１が挿入可能な係合穴２５１が形成される。
【０１０８】
（第１係止片）
第１係止片２７Ａは、一方のフットウェアＦを係止する厚紙片である。第１係止片２７Ａは、展開した状態において表装片２１の下端部に連結される。第１係止片２７Ａは、表装片２１との連結部分で本体部２２０（表装片２１）の内側へ折り込まれる。
【０１０９】
（第２係止片）
第２係止片２７Ｂは、他方のフットウェアＦを係止する厚紙片である。第２係止片２７Ｂは、展開した状態において裏装片２２の下端部に連結される。第２係止片２７Ｂは、裏装片２２との連結部分で本体部２２０（裏装片２２）の内側へ折り込まれる。
【０１１０】
（第１板バネ片）
第１板バネ片２８Ａは、第１係止片２７Ａによって係止される一方のフットウェアＦを、表装片２１側へ押圧する略半円形の厚紙片である。第１板バネ片２８Ａは、展開した状態において中装片３１の下端部に連結される。第１板バネ片２８Ａは、第１中装片３１Ａとの連結部分で表装片２１側へ折り込まれ、中装片３１と一方のフットウェアＦとの間に配置される。
【０１１１】
（第２板バネ片）
第２板バネ片２８Ｂは、第２係止片２７Ｂによって係止される他方のフットウェアＦを、裏装片２２側へ押圧する略半円形の厚紙片である。第２板バネ片２８Ｂは、展開した状態において中装片３１の下端部に、第１板バネ片２８Ａと並んで連結される。第２板バネ片２８Ｂは、中装片３１との連結部分で裏装片２２側へ折り込まれ、中装片３１と他方のフットウェアＦとの間に配置される。すなわち、第２板バネ片２８Ｂは、第１板バネ片２８Ａとは反対側に折り込まれる。
【０１１２】
（中装片）
中装片３１は、一方および他方のフットウェアＦの足底部Ｆ４側を覆う矩形の厚紙片である。中装片３１は、展開した状態において閉合片２５の右端部に連結される。中装片３１は表装片２１および裏装片２２との間に配置され、表装片２１と中装片３１との間に一方のフットウェアＦが挟持され、裏装片２２と中装片３１との間に他方のフットウェアＦが挟持される。なお、中装片３１と閉合片２５との連結部分は、折目を形成して折り曲げてもよく、折目を形成しないで緩やかに湾曲させてもよい。
【０１１３】
なお、資材本体１４は、陳列棒等に吊り下げ可能になっていてもよい。この場合、中装片３１の上端部に、フック３を設けてもよい。また、中装片３１の上端部側を延出させ、延出した部分に切り欠きを形成して該切り欠きをフック３として機能させてもよい。或いは、中装片３１の上端部側を延出させ、延出した部分に貫通孔を形成して吊り下げ用の穴を設けてもよい。
【０１１４】
このように、中装片３１にフック３等を設けることにより、フットウェアＦをバランスよく垂直に吊り下げることができる。ただし、フック３等を設ける位置およびフットウェアＦを吊り下る方向は特に限定されず、適宜変更可能である。例えば、表装片２１または裏装片２２の上端部側を延出させ、延出した部分にフック３等を設けてもよい。或いは、右装片２３または左装片２４にフック３等を設けて、フットウェアＦを水平に吊り下げてもよい。
【０１１５】
（資材本体の効果）
このように、本実施形態に係る資材本体１４は、一方のフットウェアＦの履き口Ｆ３の少なくとも一部を覆う表装片２１と、他方のフットウェアＦの履き口Ｆ３の少なくとも一部を覆う裏装片２２と、一方のフットウェアＦを挟んで表装片２１と対向すると共に、他方のフットウェアＦを挟んで裏装片２２と対向する中装片３１とを備える。
【０１１６】
さらに、本実施形態に係る資材本体１４は、表装片２１と一方のフットウェアＦとの間に配置され、一方のフットウェアＦを係止する第１係止片２７Ａと、中装片３１と一方のフットウェアＦとの間に配置され、第１係止片２７Ａによって係止される一方のフットウェアＦを表装片２１側へ押圧する第１板バネ片２８Ａとを備える。また、資材本体１４は、裏装片２２と他方のフットウェアＦとの間に配置され、他方のフットウェアＦを係止する第２係止片２７Ｂと、中装片３１と他方のフットウェアＦとの間に配置され、第２係止片２７Ｂによって係止される他方のフットウェアＦを裏装片２２側へ押圧する第２板バネ片２８Ｂとを備える。
【０１１７】
資材本体１４では、１つの中装片３１に第１板バネ片２８Ａおよび第２板バネ片２８Ｂが連結されているため、上述した資材本体１３に比べて使用する厚紙が減少する。従って、本実施形態によれば、左右１組のフットウェアＦを個別に係止する資材本体１４の製造コストを低減することがきる。
【０１１８】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【符号の説明】
【０１１９】
１、１１  包装資材
２、１２〜１４  資材本体
２０、１２０、２２０、２３０  本体部
２１  表装片（第１装片）
２２  裏装片（第１装片・第２装片）
２７  係止片
２７Ａ  第１係止片
２７Ｂ  第２係止片
２８  板バネ片（押圧片）
２８Ａ  第１板バネ片（押圧片）
２８Ｂ  第２板バネ片（押圧片）
２８ａ  折目
２９  上装片（閉止装片）
３１  中装片（第２装片）
３１Ａ  第１中装片（第２装片）
３１Ｂ  第２中装片（第２装片）
２７１  先端部
２７２  基部
２８１  押圧面
Ｗ１  幅（先端部幅）
Ｗ２  幅（基部幅）
Ｗ３  幅（開口幅）
【図１】
0003230407.tif 000003
【図２】
0003230407.tif 000004
【図３】
0003230407.tif 000005
【図４】
0003230407.tif 000006
【図５】
0003230407.tif 000007
【図６】
0003230407.tif 000008
【図７】
0003230407.tif 000009
【図８】
0003230407.tif 000010
【図９】
0003230407.tif 000011
【図１０】
0003230407.tif 000012
【図１１】
0003230407.tif 000013
【図１２】
0003230407.tif 000014
【図１３】
0003230407.tif 000015
【図１４】
0003230407.tif 000016
【図１５】
0003230407.tif 000017
【図１６】
0003230407.tif 000018